(57)【要約】【課題】自然の感触で使用することができ、かつ洗濯の際のもみ洗いや衝撃に対しても耐性の向上が図れる織物ＩＣタグを提供すること。【解決手段】織物基材と、該織物基材の片面に形成された導電性インキからなる印刷アンテナと、該アンテナに電気的又は電磁的に接続されたＩＣチップと、前記アンテナ、前記ＩＣチップを含むインレットの上から覆うように積層され、前記織物基材と接着する保護部材とにより織ＩＣタグを構成した布ＩＣタグ。【選択図】図１
2011186842.tif 000002
【特許請求の範囲】
【請求項１】
布基材と、該布基材の片面に形成された導電性インキからなる印刷アンテナと、該アンテナに電気的又は電磁的に結合されたＩＣチップと、前記アンテナ、前記ＩＣチップを含むインレットの上から覆うように積層され、前記布基材と接着する保護部材とからなることを特徴とする布ＩＣタグ。
【請求項２】
前記布基材が、布生地、又は織ネームからなる請求項１記載の布ＩＣタグ。
【請求項３】
前記布生地、又は織ネームが、アセテートサテン又はポリエステルサテンからなり、前記保護部材が、ウレタン系樹脂、又は塩化ビゾル系インキ層からなる請求項２記載の布ＩＣタグ。
【請求項４】
第１の布基材と、該第１の布基材の片面側に形成された導電性インキからなる印刷アンテナと、該アンテナに電気的又は電磁的に結合されたＩＣチップと、前記ＩＣチップ、前記アンテナを含むインレットを保護する保護部材と、前記第１の布基材の裏面、前記インレット、前記保護部材とを覆うように積層されたヒートシール部材および前記第１の布基材とともに前記インレット、前記保護部材、前記ヒートシール部材を包み込むように覆う第２の布基材とからなることを特徴とする布ＩＣタグ。
【請求項５】
前記第１の布基材が、アセテートサテン又はポリエステルサテンからなり、前記保護部材が、ウレタン系樹脂、又は塩化ビゾル系インキ層からなり、前記ウレタン系樹脂、又は塩化ビゾル系インキ層からなり、前記ヒートシール部材が、ポリアミド又はウレタン系の樹脂層からなる請求項４記載の布ＩＣタグ。
【請求項６】
ヒートシール部材と、該ヒートシール部材の片面に形成された導電性インキからなる印刷アンテナと、該アンテナに電気的に接続されたＩＣチップと、前記アンテナ、ＩＣチップなどを保護する保護部材とを備え、前記布基材と前記ヒートシール部材とを前記アンテナ、前記ＩＣチップからなるインレットを挟み込むようにして貼り合わせてＩＣタグを構成したことを特徴とする布ＩＣタグ。
【請求項７】
前記ヒートシール部材が、ポリアミド又はウレタン系の樹脂層からなる請求項６記載の布ＩＣタグ。
【請求項８】
布基材と、ＩＣチップと該ＩＣチップに接着された電極が形成された布およびアンテナが形成された布とを含み、該電極と該アンテナを所定の箇所で電磁的に結合させてタグを構成した布製タグと、
前記布製タグの上から該布製タグを覆うように積層され、前記布基材に接合されたヒートシール部材とからなることを特徴とする布ＩＣタグ。
【請求項９】
前記布基材が、アセテートサテン又はポリエステルサテンからなり、前記ヒートシール部材が、ウレタン系樹脂、又は塩化ビゾル系インキ層からなり、前記ストラップ部の接着材がストラップテープから構成されている、請求項８記載の布ＩＣタグ。
【請求項１０】
前記布基材が、織ネーム基材であり、該織ネーム基材の表面には、織ネームが形成され、裏面には、前記織ネームに対向する前記アンテナを含む前記布ＩＣタグを設けたことを特徴とする請求項１〜請求項９の何れかに記載の布ＩＣタグ。
【請求項１１】
前記布ＩＣタグが衣類に装着されたことを特徴とする請求項１〜請求項９の何れかに記載の布ＩＣタグ。
【発明の詳細な説明】
【技術分野】
【０００１】
本発明は、布ＩＣタグ（後段にて定義）に関し、特にスーツ、シャツ、ズボン、スカートなどの衣類、或いはシーツ、毛布、タオルなどの布状製品に取り付けて使用されるＩＣ付きタグに関する。
【０００２】
さらに本発明は、ネームや標章等を織り込んで使用される織り込みネームＩＣタグに関する。
【背景技術】
【０００３】
本発明が対象とするスーツ、シャツ、ズボン、スカートなどの衣類においても、或いはシーツ、毛布、タオルなどの布状製品においても、製造国、メーカ名、素材、洗濯の指針などの衣類に関連する情報を布状のタグとして付けているものが多い。また、スーツの裏地には製造元の名前や標章が刺繍等により表示された布片が縫い付けられ、作業着やユニホームの胸部には会社名等が刺繍された布片を縫い付けているものが多い。このようなタグ或いは布片にＩＣを組み合わせて、所謂、ＩＣタグとして利用する技術は既に知られている。
【０００４】
一方、ＩＣタグには、電子タグ、無線タグ、無線ＩＣタグ、ＲＦタグなどいろいろな呼び名がある。このＩＣタグとして、シールラベル形状のものにＩＣタグ製品を構成する基本的な部品、例えばＩＣチップと小型のアンテナからなるインレットを一体化した織り込みＩＣタグがある。ＩＣチップは、例えば衣類の製造国、メーカ、素材などの衣類に関連する情報を記憶するものであり、その読み取りには無線（ＲＦ：Radio Frequency）を使った専用のリーダー／ライターが使われる。つまり、ＩＣタグに記憶されているＩＤ番号（固体を表す情報）を読み取るので、別名ＲＦＩＤタグとも呼ばれている。アンテナは、該ＩＣチップに記憶された情報をリーダーなどに電波で発するために使われる。
【０００５】
従来、このＩＣインレットの基材には、例えば、特許文献１に示す如く、延伸処理された強靭な透明耐熱性シート、具体的にはその一つであるペット（ＰＥＴ：ポリエチレンテレフタート）基材が多く用いられている（特許文献１）。
【０００６】
また、従来に、特許文献２に示す如く、金銀糸（導電部）と絹糸（絶縁部）とをもって一枚の生地たる織物（基布）を構成し、該金銀糸（導電部）の配線パターンにより形成される導電性領域と、絶縁性を示す絶縁領域とを具備するアンテナを上着の肩口に取り付けたものがある（特許文献２）。すなわち、該文献２には、金銀糸からなるアンテナのＲＦＩＤ（Radio Frequency Identification）への適用について記載されている。
【先行技術文献】
【特許文献】
【０００７】
【特許文献１】特開２００８−２７６４５１号公報
【特許文献２】特開２００９−４４４３９号公報
【発明の開示】
【発明が解決しようとする課題】
【０００８】
しかし、前者の如く、ペット（ＰＥＴ）基材が多く使用されているＩＣインレット（ＩＣタグ製品を構成する基本的な部品）は、ペット（ＰＥＴ）の持つ硬さや加工性、縫製適正のなさなどから、これをタグ加工して衣服に取り付けて使用する用途にはなじまなかった。
仮に、ＩＣインレットを衣服などに無理に取り付けようとすると、衣服の柔軟性や衣服が持つ風合いを損ねる。また、不自然なものとならざるを得なかった。
また更に、特にペット（ＰＥＴ）フィルムにＩＣインレットを構成するＩＣチップを接合する場合、アンカー効果が得られにくいため、ペット（ＰＥＴ）基材からＩＣチップが取れ易く、洗濯の際のもみ洗いや衝撃に対して耐性のないものであった。
従って、洗濯が必要とされる衣類などへの適用には不向きであり、実際に実用化されたものがなかった。
【０００９】
また、後者の如く、導電性を示す導電部を有する金銀糸と絶縁性を示す絹糸とによって生地である織物における導電部の配線パターンにより形成される導電性領域と絶縁性を有するスロットとを具備するウェアラブルアンテナは、金銀糸と絹糸とをもって織物を形成し、かつこれらの糸をもってアンテナを構成する、特殊な構成であることから量産化には不向きである。
また、基布に金銀糸で作るアンテナは、ＲＦＩＤへの用途としては、抵抗値が高いこと、また、ＩＣチップを具体的にどのように設けるのか、その方法について記述が一切ないこと、また、更に金銀糸は、ペット（ＰＥＴ）からなる基層に金属層を蒸着することにより構成されることから、このままではＲＦＩＤとして実際に使用できない。
また、特許文献１と同様にアンカー効果が得られにくく、ペット（ＰＥＴ）基材からＩＣチップが取れ易く、洗濯の際のもみ洗いや衝撃に対して耐性がなく、衣類への使用としては実用向きとは言えない。
【課題を解決するための手段】
【００１０】
本発明は、これら不具合に鑑みなされ、その目的は衣類に付けても、自然の感触で使用することができ、かつ洗濯の際のもみ洗いや衝撃に対しても耐性の向上が図れる布ＩＣタグを提供することにある。
ここで、本発明における「布ＩＣタグ」との用語の意義を定義しておく。「布ＩＣタグ」とは、ＩＣチップとアンテナを備えた布状のタグであり、製品に取り付ける形態のタグ（付片）であるが、本発明においては、スーツの裏地に縫い付けた製造者を表示する布片、或いは作業着に縫い付けた名前を表示する布片に、ＩＣとアンテナを備えたものも含むものとする。ただし、製造者又は氏名の表示とした機能に着目して「ネームＩＣタグ」と称することがあり、製造者又は氏名を刺繍等で織り込んで表示したものを特に「織り込みネームＩＣタグ」と称することがある。
【００１１】
本発明は、前記目的を達成するため、布基材（含同等の柔軟性を有する化学繊維材）と、該布基材の片面に形成された導電性インキからなる印刷アンテナと、該アンテナに電気的又は電磁的に結合されたＩＣチップと、前記アンテナ、前記ＩＣチップを含むインレットの上から覆うように積層され、前記布基材と接着する保護部材とにより布ＩＣタグを構成したことを特徴とするものである。
【００１２】
また、本発明は、前記目的を達成するため、布基材（含同等の柔軟性を有する化学繊維材）と、該布基材の片面に形成された導電性インキからなる印刷アンテナと、該アンテナに電気的又は電磁的に結合されたＩＣチップと、前記アンテナを保護する保護部材と、前記布基材、前記アンテナと前記ＩＣチップからなるインレット、前記保護部材とを覆うように積層され、前記第１の布基材の片面に接着されたヒートシール部材とから布ＩＣタグを構成したことを特徴とするものである。
【００１３】
また、本発明は、前記目的を達成するため、布基材（含同等の柔軟性を有する化学繊維材）と、ヒートシール部材と、該ヒートシール部材の片面に形成された導電性インキからなる印刷アンテナと、該アンテナに電気的又は電磁的に結合されたＩＣチップと、前記アンテナ、ＩＣチップなどを保護する保護部材とを備え、前記布基材と前記ヒートシール部材とを前記アンテナ、前記ＩＣチップからなるインレットを挟み込むようにして貼り合わせて布ＩＣタグを構成したことを特徴とする。
【００１４】
また、本発明は、前記目的を達成するため、布基材（含同等の柔軟性を有する化学繊維材）と、ＩＣチップおよび電極が形成された布とアンテナが形成された布と該ＩＣチップ、該アンテナ、該電極を保護する保護部材を含み、該ＩＣチップと該アンテナを該電極を介して電磁的に結合させてタグを構成した布製タグと、前記布製タグを覆うように積層され、前記布基材に接合されたヒートシール部材とからなることを特徴とする。
【発明の効果】
【００１５】
本発明によれば、従来の課題を是正することができ、風合いの悪さの改善が図れ、洗濯堅牢性を持った布ＩＣタグを得ることができる。その結果として衣服などに適用することが可能である。
【図面の簡単な説明】
【００１６】
【図１】本発明の一実施例を示す簡易型ダイレクト方式の織ネームＩＣタグの断面を模式的に示した構成図である。
【図２】本発明の他の実施例を示す貼合方式の織ネームＩＣタグの断面を模式的に示した構成図である。
【図３】本発明の他の実施例を示すダイレクト方式の織ネームＩＣタグの断面を模式的に示した構成図である。
【図４】本発明の更に他の実施例を示す割符方式の織ネームＩＣタグの断面を模式的に示した構成図である。
【図５】本発明の一実施例を示す織ネームＩＣタグの織ネーム布表面などを示す図である。
【図６】本発明の一実施例を示す織ネームＩＣタグの織ネーム布裏面などを示す図である。
【発明を実施するための形態】
【００１７】
布ＩＣタグ、特に織ネームＩＣタグは、織ネーム基布、インレット（印刷アンテナ、ＩＣチップ）などを保護する保護部材などに基づいて実現した。
以下、本発明の実施形態について布ＩＣタグとして織ネームＩＣタグを例にして図面を参照して説明する。本発明において、ネームとは、氏名や社名は勿論、マーク、ロゴ、図形などの標章をすべて含むものである。
まず、織ネームＩＣタグは、例えば図５、図６に示す如く構成される。図５は織ネームＩＣタグの織ネーム布表面およびその厚みを示す図、図６はその織ネーム布裏面およびその厚みを示す図である。
【００１８】
同図において、織ネームＩＣタグは、織ネーム基材１を含み、該基材の表面１１には、図５に示す如く、例えば会社名１２などが周知の方法、例えば印刷や刺繍などで形成されている。基材１の裏面１２には、図６に示す如く、ＩＣチップ３やアンテナ２を含む布製インレット２３が形成されている。基材１の側面１３、１４の厚みｔは２ｍｍ以下に構成される。これらによって、衣類などへの利用が可能となる。ＩＣチップ３には、周知の固体情報のほかにユーザに応じたユニーク情報、つまり製品保証に関連する情報や素材の構成要素識別情報などを記憶したものを利用すると良い。これによって、本織ネームＩＣタグを装着した衣類などについて、例えば、在庫管理、リサイクル管理が可能となる。アンテナ２は、例えば図６に示す如く、ＩＣチップ３を中心として左右点対称にクランク状に形成すると良い。
以下、本発明の織ネームＩＣタグの実施例について説明する。
【実施例１】
【００１９】
図１は本発明の一実施例を示す織ＩＣタグの簡易型ダイレクト方式の構成を概略的に示す要部断面図である。
図１において、所定のネームを織り込んだ織ネーム基材１は印刷が可能な布、又は布と同様に柔軟性を有し、フィルム状に構成された化学繊維材、例えばポリエステル化学繊維、不織布、耐洗紙などが対象として挙げられる。従って、本発明においては、布ＩＣとは、基材として布は勿論、化学繊維材、不織布、耐洗紙なども含まれる。
【００２０】
また、例えば布生地では、アセテートサテン（アセテート朱子織）、ポリエステルサテン（ポロエステル朱子織）などであるが、この具体例では洗濯堅牢を考慮すれば、アセテートサテンよりもポリエステルサテンが好ましい。これらの基材、特に布生地はＩＣチップのボンディングに際して接着材のアンカー効果があるものが多く、ＩＣチップの接合強度は通常のＰＥＴ機材よりも強靭な接合効果が得られる特徴がある。
【００２１】
アンテナ２は前記織ネーム基材１の（裏面／図６参照）に、ネーム基材１のネーム（表面／図５参照）に対向するように銀を主成分とする導電性インキが印刷されることにより構成される。例えば、アンカー効果のある基布（ポリエステルサテン）に、直接導電性インキ（ＲＥＸＡＬＰＨＡ  東洋インキ製）で所定のアンテナ印刷パターンをシルクスクリーン法で印刷する。印刷としては、グラビア印刷方式でも可能であるが、アンテナの所定抵抗値が得られ易いのは、導電性インキ皮膜の厚さからシルクスクリーン印刷の方が効果的である。また、アンテナ２の形状として、例えば図６に示す如く、ＩＣチップが取付けられる中心位置に対して点対称に形成し、かつクランク状に形成することで、その長さを直線状に形成することに比べ長く構成することができる。
【００２２】
ＩＣチップ３は固体を表す情報、例えば商品に関する製造元、素材などが特定できる情報などを記録するものであり、該ＩＣチップ（Monza 2 Inpinj）は前記織ネーム基材１の基布に、通常に行われているＩＣインレットの製法と同様にボンディングし、布ベースのＩＣインレットとして作成される。
【００２３】
４は前記織ネーム基材１の基布の表面に、前記印刷アンテナ２やＩＣチップ３を含むＩＣインレット（図６参照）などを保護するように形成された保護部材を示し、該保護部材は、例えばウレタン系や塩ビゾル系インキ層などの保護樹脂層からなり、アンテナ２の酸化防止と前記ＩＣチップの保護と脱落防止を図ることを目的とし設けられる。
【００２４】
前記インレット（ＩＣタグ製品を構成する基本的な部品であるＩＣインク、印刷アンテナ）表面に使用した保護部材４の保護樹脂層は柔軟性を損なわず、基材１の基布への強固な接着が確保できる材質のものが好ましい。例えは、Ｔシャツの絵柄印刷に使用されている塩ビゾルタイプのインキや、広範囲な多用途接着剤として使用されているシリル化ウレタン樹脂、若しくは衣類の裾上げテープなどの接着剤として使用されているポリアミド樹脂やホットメルトなどを使用することができる。
【００２５】
以上により、織ネームＩＣタグが構成されるが、係る実施例のＩＣタグによれば、フレキシブルな布生地ベースのＩＣタグを得ることができる。また、前記ＩＣチップ３の基布へのボンディング時のアンカー効果と保護部材（保護樹脂層）４の基布１への強固な接着効果と相まってより一層の脱落防止、つまりＩＣチップや印刷アンテナ２などが基布からの脱落防止が図れる。
【００２６】
また、本織ネームＩＣタグによれば、本織ネームＩＣタグを、例えば衣服に取り付けて、衣服を洗濯した結果、洗濯時の捩れや衝撃に十分耐えることができた。また、本出願人の実験結果によれば、保護樹脂層として最も適しているのは、シリル化ウレタン樹脂（コニシ株式会社製）の塗工またはポリアミドフィルム（日本マタイ製）の積層ラミネートであった。
【００２７】
また、本織ネームＩＣタグは洗濯が必要とされる衣類に取付け可能とするものである。従って、織ネームＩＣタグの厚み（図５、図６の厚み部分ｔの寸法）は２ｍｍ以下に抑えることが重要である。本出願人によれば、試作品などにより、その条件をクリアーできる構成であることを確認している。
【実施例２】
【００２８】
図２は、本発明の他の実施例を示す織ＩＣタグの貼合方式の構成を概略的に示す要部断面図である。同図において、５は織ネーム基材１、アンテナ２、ＩＣチップ３、保護部材４などを覆うように形成されるヒートシール部材を示し、該部材は例えばポリアミド層からなる。なお、図面では、織ネーム基材１と他の部材とが分離して示してあるが、これらは保護部材４、ＩＣチップ３、アンテナ２、ヒートシール部材５が織ネーム基材１上に積層されるように構成される。
【００２９】
この実施例の応用例として、上記実施例に加え、つまり織ネーム基材１とは別個に積層の相手方として、織ネーム基材１’若しくは布生地１’を用意し、織ネーム基材１と織ネーム基材１’若しくは布生地１’とをもって、ＩＣチップ３、印刷アンテナ２を含む布製インレット及び該インレットのＩＣチップなどを保護する保護樹脂層４とを覆うように、かつ熱接着性の樹脂層５、例えばヒートシール性のあるポリアミド樹脂やホットメルト（裾上げテープなどのラミネート用樹脂）によって一体化した織ネームＩＣタグとしても良い。  
要するに、実施例１に示す織ネームＩＣタグを、織ネーム基材１ともう一つの織ネーム基材１’若しくは布生地でもって袋状とし、これらをもってＩＣタグを包み込むように構成したものである。
【００３０】
本実施例は、サンドイッチ型インレットの積層構造としたＩＣインレット一体型織ネームＩＣタグと言えるものである。なお、このタグは、布生地や織ネーム基材に限らず、保護樹脂層４として接着層を間に挟んで貼合せラミネートしたＩＣタグであり、耐洗紙や不織布、布などを表裏外層に例えば、一般のランドリータグとして活用することもできる。
【００３１】
本実施例における基本構造例は、織ネーム基材／保護部材を構成するシリル化ウレタン樹脂層/ＩＣインレット／ヒートシール部材を構成するポリアミド樹脂層／ＩＣインレットの布基材からなる。
【実施例３】
【００３２】
図３は本発明の更に他の実施例を示す織ＩＣタグのダイレクト方式の構成を概略的に示す要部断面図である。図３において、５はヒートシール性のヒートシール部材を示し、該部材には、例えばポリアミド樹脂やウレタン樹脂のフィルムが使用される。そして、このフィルムに、導電性インクでアンテナ２を構成するパターン印刷を行い、該アンテナに電気的にＩＣチップ３を接合したものである。ＩＣチップ３のアンテナへの接合は、直接ボンディング、ストラップ方式のどちらでも良い。
【００３３】
すなわち、本実施例は、ＩＣチップ３、アンテナ２を含むＩＣインレットをヒートシールフィルム側に先に設けておき、これを直接織ネーム部材または基布にヒートシールで貼り合わせ、直接一体化してなるものである。具体的には、ヒートシール性のあるポリアミド樹脂フィルム、若しくはウレタン樹脂フィルムに直接銀を主成分とする導電性インキでアンテナパターンを印刷し、またはエッチングでアンテナパターンを形成し、ＩＣチップを取り付けてなるヒートシール性フィルム基材のＩＣインレットを内側にして織ネーム基材や基布と貼り合わせ一体化した織ネームＩＣタグである。
【００３４】
ここで、織ネーム基材１側には同じ樹脂層を予め薄く設けて置き、ＩＣインレットが樹脂層の中に埋設するような構造としても良い。樹脂層としては、柔軟性があって、印刷ができ、かつヒートシール性がある、またはヒートシール性の部材を付与したフィルムであれば良い。このＩＣタグを衣服に装着することを考慮し、風合いとヒートシール貼合強度を考えれば、ポリアミドフィルムかウレタンフィルムが望ましい。
【００３５】
また、エッチングによるアンテナ形成も排除するものではなく、基材フィルムがエッチング適正を持つフィルムであれば、その基材も候補に挙げることができる。係る方法は、織り込みネームの裏面の凹凸が大きくアンテナ印刷のインキ皮膜が破断する懸念がある場合や直接ＩＣチップの接合が困難な場合に、安定した一体化ＩＣタグを作るのに効果的である。
【実施例４】
【００３６】
図４は、本発明の更に他の実施例を示す織ＩＣタグの割符方式の構成を概略的に示す要部断面図である。ＩＣタグをマイクロストラップ方式でボンディングするタイプを示すものであるが、そのストラップを予め相方のヒートシール性のフィルムに設けておくものである。
【００３７】
同図において、６は布製タグ部を示し、該タグ部は電極６２、ＩＣチップ３が形成された布６１とアンテナ２が形成された布６１’との重ね合わせにより形成されている。電極６２とＩＣチップ３とはマイクロストラップテープ６３にて接着されている。アンテナ２と電極６２とは図示の如く、対向して配置され、電磁的に結合されている。すなわち、ＩＣチップ３が取付けされる布６１に２つの電極６２を対向して設け、該電極間にＩＣチップ３を接続し、布６１’に設けたアンテナ２を対向して配置し、アンテナ２と電極２１間を電磁的に結合する構成としたものである。
【００３８】
またこの布製タグ部６はＩＣチップ３を布６１にボンディングした後、保護樹脂４が塗工される。ヒートシール部材５は布製タグ部６の上から、布性タグ部の周囲を覆うように織ネーム基材１に貼り付けられている。ここで、布製タグ部６の布６１’側は予めヒートシール部材５に設けておく。
なお、図面では、一部の構成が分離して示されているが、これらは積層される形で一体的に形成されるものである。
【００３９】
ＩＣチップ３がボンディングされる基材（布６１）は、アンテナを構成する導電部分３が形成された基材（布６１’）に対向する部分がエッチングできる基材であれば、エッチングで設けても良い。あるいは印刷方式で設けても良いが、導電部２のアンテナとＩＣチップ３がしっかり導通が確保されるよう、確実な位置合わせとＩＣチップ周辺がずれないように確固たるヒートシール接合することが重要である。
【００４０】
以上述べたように本実施例は、ヒートシール性のあるフィルム基材に設けたマイクロストラップを使って、アンテナを印刷した基材の布や化学繊維材を位置合わせてして積層したＩＣタグである。マイクロストラップ周辺はヒートシール基材のために相手方基材と強固接着し、洗濯堅牢性が増すだけでなく、マイクロストラップのＩＣチップの導電部分と相方に印刷されたアンテナ（３’）ともしっかりと接合するもので、通信機能が確保されることになる。また、本実施例によれば、アンテナ２のパターンの自由度が増し、製造する上で有効である。
【００４１】
以上述べた各実施例の如く、織ネーム基布とＩＣインレットの構成要素であるアンテナ及びこれに接合すべきＩＣチップと、これらを保護する樹脂層、並びにヒートシール可能な接着樹脂層とを兼ね備えているフレキシブルな布生地ベースの織ネームＩＣタグにおいて、ＩＣチップ３の取り付けは、導電性接着剤やＵＶ硬化型接着剤など、従来のボンディング方式やマイクロストラップ方式で行うが、その際には、基材表面の凹凸形状や導電性の糸の表面状態などに応じて確実に導電性を確保できる方式を適宜選択する。特に基材が布ベースの場合、接着剤のアンカー効果が高くなり、ＩＣチップは基布に強固に接着することが確認されている。
【００４２】
このようにして構成したインレットの上に基材と強固に接着する保護部材（保護樹脂層）を設けることにより部材ＩＣチップ３の周囲やアンテナの周囲がしっかりと固定でき、洗濯の際の捩れや衝撃に対してアンテナの破断やＩＣチップ接合部の剥がれが防止でき、更に一層洗濯堅牢性の高いフレキシブルなＩＣタグを得ることができる。本出願人はそのことを実験にて確認している。
【産業上の利用可能性】
【００４３】
本発明の織ＩＣタグは、衣類への適用を前提にしているが、その他洗濯、堅牢性を要求される衣料品にも適用可能である。
【符号の説明】
【００４４】
１  織ネーム部材（基布）
１’  布基材
２  印刷アンテナ
３  ＩＣチップ
４  保護部材（保護樹脂層）
５  ヒートシール部材
６  布製タグ部
６１、６１’  布
６２  電極
６３  マイクロストラップテープ
【図１】
2011186842.tif 000003
【図２】
2011186842.tif 000004
【図３】
2011186842.tif 000005
【図４】
2011186842.tif 000006
【図５】
2011186842.tif 000007
【図６】
2011186842.tif 000008